(57)【要約】【課題】水分を含む内容物を適切に加熱することができる加熱用包装袋を実現する。【解決手段】筒状に折り曲げたシート材９の両端を合掌状に接合した合掌接合部１と、筒状の両側を閉じるように接合した端縁接合部２と、を備え、その内部に水分を含むおしぼりＰを収容するピロー型の加熱用包装袋１０において、合掌接合部１が、シート材９の端部側に設けられている第１の接合部１ａと、第１の接合部１ａよりも内容物（おしぼりＰ）側に設けられている第２の接合部１ｂとを有する構成にして、第２の接合部１ｂの接合強度を第１の接合部１ａよりも弱く形成した。【選択図】図１
2013244985.tif 000002
【特許請求の範囲】
【請求項１】
筒状に折り曲げたシート材の両端を合掌状に接合した合掌接合部と、筒状の両側を閉じるように接合した端縁接合部と、を備え、その内部に水分を含む内容物を収容するピロー型の加熱用包装袋であって、
前記合掌接合部は、前記シート材の端部側に設けられている第１の接合部と、前記第１の接合部よりも前記内容物側に設けられている第２の接合部を有し、
前記第２の接合部は、前記第１の接合部よりも接合強度が弱いことを特徴とする加熱用包装袋。
【請求項２】
前記第１の接合部と前記第２の接合部の間には、前記シート材どうしが接合されていない非接合領域が設けられていることを特徴とする請求項１に記載の加熱用包装袋。
【請求項３】
前記非接合領域における前記シート材を引き裂くための開封手段が設けられていることを特徴とする請求項２に記載の加熱用包装袋。
【請求項４】
前記合掌接合部は、前記第１の接合部と前記第２の接合部の間に位置し、前記第１の接合部よりも接合強度が弱く、前記第２の接合部よりも接合強度が強い、第３の接合部を有することを特徴とする請求項１〜３の何れか一項に記載の加熱用包装袋。 
【発明の詳細な説明】
【技術分野】
【０００１】
本発明は、加熱用包装袋に係り、特に、水分を多く含む内容物を加熱することに適した加熱用包装袋に関する。
【背景技術】
【０００２】
従来、水分を含んでいるおしぼりを個別に包装している包装袋が知られており、任意の場所で包装袋を開封することで、濡れたおしぼりを使用することが可能になっている。
そして、おしぼり等の水分を多く含む内容物を収容した包装袋を加熱して、その内容物を温める際に、包装袋の内部で発生する蒸気を自動的に外部に排出させることで、包装袋が破裂することを防止した加熱用包装袋が知られている（例えば、特許文献１参照。）。
【先行技術文献】
【特許文献】
【０００３】
【特許文献１】特開２００５−２０００２２号公報
【発明の概要】
【発明が解決しようとする課題】
【０００４】
しかしながら、上記特許文献１の場合、例えば電子レンジでの加熱によって、内容物から発生した蒸気により包装袋の内圧が急激に上がったときに、蒸気が自動的に排出されることで包装袋が破裂することを防ぐことはできるが、例えばホットウォーマーでの加熱によって所望の温度で保温し続けるときには、包装袋内部から徐々に蒸気が排出されてしまい、内容物が乾燥してしまうことがあるという問題があった。
【０００５】
本発明の目的は、水分を含む内容物を適切に加熱することができる加熱用包装袋を提供することである。
【課題を解決するための手段】
【０００６】
以上の課題を解決するため、請求項１に記載の発明は、
筒状に折り曲げたシート材の両端を合掌状に接合した合掌接合部と、筒状の両側を閉じるように接合した端縁接合部と、を備え、その内部に水分を含む内容物を収容するピロー型の加熱用包装袋であって、
前記合掌接合部は、前記シート材の端部側に設けられている第１の接合部と、前記第１の接合部よりも前記内容物側に設けられている第２の接合部を有し、
前記第２の接合部は、前記第１の接合部よりも接合強度が弱いことを特徴とする。
【０００７】
請求項２に記載の発明は、請求項１に記載の加熱用包装袋において、
前記第１の接合部と前記第２の接合部の間には、前記シート材どうしが接合されていない非接合領域が設けられていることを特徴とする。
【０００８】
請求項３に記載の発明は、請求項２に記載の加熱用包装袋において、
前記非接合領域における前記シート材を引き裂くための開封手段が設けられていることを特徴とする。
【０００９】
請求項４に記載の発明は、請求項１〜３の何れか一項に記載の加熱用包装袋において、
前記合掌接合部は、前記第１の接合部と前記第２の接合部の間に位置し、前記第１の接合部よりも接合強度が弱く、前記第２の接合部よりも接合強度が強い、第３の接合部を有することを特徴とする。
【発明の効果】
【００１０】
本発明によれば、水分を含む内容物を適切に加熱することができる優れた加熱用包装袋を得ることができる。
【図面の簡単な説明】
【００１１】
【図１】本発明に係る加熱用包装袋を示す斜視図である。
【図２】本発明に係る加熱用包装袋の使用形態の一例を示す斜視図である。
【図３】本発明の加熱用包装袋の変形例を示す斜視図である。
【図４】本発明の加熱用包装袋の変形例を示す斜視図である。
【図５】本発明の加熱用包装袋の変形例を示す斜視図である。
【図６】本発明の加熱用包装袋の変形例を示す斜視図である。
【図７】本発明の加熱用包装袋の変形例を示す斜視図である。
【発明を実施するための形態】
【００１２】
以下に、図を参照しつつ、本発明の実施の形態を詳細に説明する。但し、発明の範囲は、図示例に限定されない。
【００１３】
図１は、本実施形態における加熱用包装袋を示す斜視図である。
加熱用包装袋１０は、図１に示すように、筒状に折り曲げたシート材９の両端を合掌状に接合した合掌接合部１と、筒状の両側を閉じるように接合した端縁接合部２と、を備え、その内部に水分を含む内容物（例えば、おしぼりＰ）を収容するピロー型の包装袋である。
なお、シート材９の両端を合掌状に接合した状態とは、両端を揃えるようにシート材９を折り曲げて、その両端の同一面を互いに当接させて接合した状態をいう。
【００１４】
この加熱用包装袋１０における合掌接合部１は、シート材９の端部側に設けられている第１の接合部１ａと、第１の接合部１ａよりも内容物（おしぼりＰ）側に設けられている第２の接合部１ｂを有している。
また、第１の接合部１ａと第２の接合部１ｂの間には、シート材９どうしが接合されていない非接合領域３が設けられている。
非接合領域３には、非接合領域３のシート材９を引き裂くための開封手段である開封用つまみ部４が設けられている。この開封用つまみ部４をユーザーが引っ張ることで、図２に示すように、シート材９を引き裂いてスリットを形成することが可能になっている。例えば、開封用つまみ部４は、シート材と同一材料の小片が着色されて、シート材９の表面に強固に接着されたものである。また、開封用つまみ部４は、シート材９に一体に形成された突状片であってもよい。
【００１５】
加熱用包装袋１０用のシート材９としては、例えば、２軸延伸ポリエチレンテレフタレート（ＰＥＴ）、２軸延伸ポリプロピレン（ＯＰＰ）、２軸延伸ナイロン（ＯＮ）等を用いることができる。
そして、折り曲げられて対向するシート材９どうしが熱接着性樹脂を介して接合されて、合掌接合部１と端縁接合部２が形成されている。
熱接着性樹脂としては、例えば、低密度ポリエチレン（ＬＤＰＥ）、線状低密度ポリエチレン（ＬＬＤＰＥ）、エチレン−酢酸ビニル共重合体（ＥＶＡ）、未延伸ポリプロピレン（ＣＰＰ）等を用いることができる。熱接着性樹脂の厚さは、例えば１５〜８０μｍである。
シート材９に熱接着性樹脂を積層する方法は、例えば、押出ラミネーション（ＥＣ）またはドライラミネーション（ＤＬ）により行われ、その積層構成は、例えば、ＰＥＴ／ＥＣ／ＬＤＰＥ、ＰＥＴ／ＤＬ／ＬＬＤＰＥ、ＰＥＴ／ＤＬ／ＣＰＰ、ＯＰＰ／ＥＣ／ＬＤＰＥ、ＯＰＰ／ＤＬ／ＬＬＤＰＥ、ＯＰＰ／ＤＬ／ＣＰＰ等である。
そして、シート材９における所定部位に周知の熱接着処理を施し、熱接着性樹脂でシート材９を融着するようにして、合掌接合部１と端縁接合部２が形成される。なお、所望する接合強度に応じて、熱接着性樹脂の種類や厚さ、熱接着時の処理温度などを適宜選択することで、各接合部の接合強度を調整することができる。
【００１６】
ここで、合掌接合部１における第２の接合部１ｂは、第１の接合部１ａよりも接合強度が弱く設計されている。
例えば、第１の接合部１ａの接合強度は３０［Ｎ／１５ｍｍ］以上であり、第２の接合部１ｂの接合強度は１０［Ｎ／１５ｍｍ］以下に設計されている。
なお、端縁接合部２の接合強度は、合掌接合部１の第１の接合部１ａと同等であることが好ましい。
【００１７】
次に、加熱用包装袋１０の内部に収容しているおりぼりＰを加熱して使用する際の手順について説明する。
【００１８】
例えば、おしぼりＰを加熱用包装袋１０ごと電子レンジで加熱する場合、開封用つまみ部４を利用してシート材９を引き裂き、非接合領域３にスリットを形成した状態の加熱用包装袋１０を電子レンジ庫内にセットし、所定の操作によって加熱する。
そして、加熱に伴い発生した蒸気により加熱用包装袋１０の内圧が上がり、例えば、おしぼりＰの温度が６０℃程度になった際に、第２の接合部１ｂが剥離し、静かな開封音とともに蒸気が包装袋の外部に排出される。
ユーザーは、第２の接合部１ｂが剥離したタイミングを開封音などで認識でき、好ましい温度（例えば６０℃）に温まったおしぼりＰを、加熱用包装袋１０のスリット開口から取り出して使用することができる。
こうして、予め非接合領域３にスリットを形成した状態で、加熱用包装袋１０を電子レンジで加熱するようにすれば、包装袋の内圧が上がり過ぎて加熱用包装袋１０が破裂し、高温になった水分が飛散してしまうトラブルを防止できる。
【００１９】
また、おしぼりＰを加熱用包装袋１０ごとホットウォーマーで加熱する場合、非接合領域３にスリットを形成せずに、密封状態の加熱用包装袋１０をホットウォーマー庫内に入れ、設定温度（例えば６０℃）で保温するように加熱する。
そして、例えば、おしぼりＰの温度が設定温度に達し、発生した蒸気により加熱用包装袋１０の内圧が上がり、第２の接合部１ｂが剥離することがあっても、加熱用包装袋１０は第１の接合部１ａと端縁接合部２によって密封されているので、蒸気は包装袋の外部に排出されず、おしぼりＰが乾燥してしまうことはない。
ユーザーは、ホットウォーマー庫内で保温中の加熱用包装袋１０のうち、第２の接合部１ｂが剥離した状態のものが適正に加熱を終えたものであると認識できる。ユーザーは、好ましい温度（例えば６０℃）に温まったおしぼりＰが入っている加熱用包装袋１０を選び、開封用つまみ部４を利用してシート材９を引き裂いて形成したスリット開口から、適温のおしぼりＰを取り出して使用することができる。
こうして、非接合領域３にスリットを形成しない状態で、加熱用包装袋１０をホットウォーマーで加熱するようにすれば、保温時間が長くてもおしぼりＰが乾燥してしまうトラブルを防止できる。
【００２０】
このように、本実施形態の加熱用包装袋１０であれば、その内部に収容しているおしぼりＰを加熱するにあたり、電子レンジで急速に温めることも、ホットウォーマーで長時間保温することも、どちらも適切に行うことができる。
例えば、おしぼりＰの入った加熱用包装袋１０を電子レンジで加熱する場合、第２の接合部１ｂが剥離したタイミングを開封音で認識し、その開封音が発せられた際に作動中の電子レンジを停止するようにすれば、おしぼりＰを加熱し過ぎることなく、適温に温まったおしぼりＰを使用することができる。
また、おしぼりＰの入った加熱用包装袋１０をホットウォーマーで加熱する場合、第２の接合部１ｂが剥離したことで、おしぼりＰが適温に温まったことを認識できるとともに、第２の接合部１ｂが剥離したことでおしぼりＰを収容する空間が広がるので、包装袋の内圧を下げて、保温を良好に継続することができる。
つまり、この加熱用包装袋１０は、水分を含む内容物（おしぼりＰ）を適切に加熱することができる優れた加熱用包装袋であるといえる。
【００２１】
なお、本発明は上記実施形態に限られるものではない。
【００２２】
例えば、図３に示す、加熱用包装袋１１のように、シート材９を引き裂くための開封手段であるカットテープ４ａを非接合領域３に設けるようにしてもよい。
カットテープ４ａは、シート材９よりも高強度の材料からなる細い帯状あるいは紐状の部材であり、その一端が外側に突出した状態で非接合領域３におけるシート材９の内面あるいは外面に貼付されている。カットテープ４ａは、合掌接合部１の第１の接合部１ａと第２の接合部１ｂに沿い、非接合領域３のほぼ全長に亘る長さを有している。
この加熱用包装袋１１であっても、その内部に収容しているおしぼりＰを適切に加熱することができる。
【００２３】
また、図４に示す、加熱用包装袋１２のように、第１の接合部１ａと第２の接合部１ｂの間に相当する端縁接合部２部分に、非接合領域３のシート材９を引き裂くための開封手段であるノッチ部４ｂを設けるようにしてもよい。
ノッチ部４ｂは、Ｖノッチ、Ｕノッチ、Ｉノッチなど任意であり、その他のノッチ加工によるものであってもよい。
この加熱用包装袋１２であっても、その内部に収容しているおしぼりＰを適切に加熱することができる。
なお、このノッチ部４ｂの代わりに、端縁接合部２部分にカットテープを設けるようにしてもよい。
【００２４】
また、図５に示す、加熱用包装袋１３のように、第１の接合部１ａ部分に、非接合領域３のシート材９を引き裂くための開封手段であるノッチ部４ｃを設けるようにしてもよい。ノッチ部４ｃは上述したノッチ部４ｂ同様、任意の形状のノッチでよい。
この加熱用包装袋１３であっても、その内部に収容しているおしぼりＰを適切に加熱することができる。
なお、このノッチ部４ｃの代わりに、第１の接合部１ａ部分にカットテープを設けるようにしてもよい。
【００２５】
また、図６に示す、加熱用包装袋１４のように、第１の接合部１ａと第２の接合部１ｂの間に非接合領域３を設けずに、その分第２の接合部１ｂが占める割合を多くするようにしてもよい。この場合、第２の接合部１ｂの側方に相当する端縁接合部２部分に、上述したノッチ部４ｂを設けることが好ましい。
図６に示す加熱用包装袋１４では、任意の端縁接合部２部分からシート材９を引き裂くことができるように、開封手段として鋸歯状のノッチ部４ｄを設けている。
この加熱用包装袋１４であっても、その内部に収容しているおしぼりＰを適切に加熱することができる。
【００２６】
また、図７に示す、加熱用包装袋１５のように、第１の接合部１ａと第２の接合部１ｂに第３の接合部１ｃを有する合掌接合部１を備える構成であってもよい。
この第３の接合部１ｃは、第１の接合部１ａよりも接合強度が弱く、第２の接合部１ｂよりも接合強度が強く設計されており、例えば、第３の接合部１ｃの接合強度は２０［Ｎ／１５ｍｍ］程度である。
例えば、加熱用包装袋１５の非接合領域３にスリットを形成せずにホットウォーマーで加熱して、第２の接合部１ｂが剥離した際には、おしぼりＰの温度は約６０℃になっており、また、第３の接合部１ｃが剥離した際には、おしぼりＰの温度は約７０℃になっているなどの目安にすることができる。
また、おしぼりＰの適温が６０℃である場合、第３の接合部１ｃが剥離する加熱条件では温め過ぎであると判断し、次回以降の加熱条件を適正に調整することが可能になる。
【００２７】
また、加熱用包装袋１５のシート材９にスリットを形成して電子レンジで加熱する場合、第２の接合部１ｂと第３の接合部１ｃの間の非接合領域３にスリットを形成すれば、おしぼりＰの温度が６０℃程度になった際に、第２の接合部１ｂが剥離して静かな開封音とともに蒸気が包装袋の外部に排出され、第３の接合部１ｃと第１の接合部１ａの間の非接合領域３にスリットを形成すれば、おしぼりＰの温度が７０℃程度になった際に、第３の接合部１ｃが剥離して静かな開封音とともに蒸気が包装袋の外部に排出される。
それにより、発生した蒸気で包装袋の内圧が上がり過ぎて加熱用包装袋１０が破裂し、高温になった水分が飛散してしまうトラブルを防止できるとともに、おしぼりＰの温度が約６０℃或いは約７０℃になったことを容易に認識できるようになる。
なお、図７に示す加熱用包装袋１５では、任意の端縁接合部２部分からシート材９を引き裂くことができるように、開封手段として鋸歯状のノッチ部４ｄを設けている。
この加熱用包装袋１５であっても、その内部に収容しているおしぼりＰを適切に加熱することができる。
【００２８】
以上のように、本発明に係る加熱用包装袋１０〜１５は、水分を含む内容物（おしぼりＰ）を適切に加熱することができる優れた加熱用包装袋である。
【００２９】
なお、以上の実施の形態においては、おしぼりＰの適温を６０℃とし、おしぼりＰの温度が６０℃程度になった際に、第２の接合部１ｂが剥離するとしたが、本発明はこれに限定されるものではなく、第２の接合部１ｂ（あるいは第３の接合部１ｃ）は、任意の温度や内圧で剥離するようにしてもよく、内容物の種類・用途に応じて適宜調整すればよい。
【００３０】
また、その他、具体的な細部構造等についても適宜に変更可能であることは勿論である。
【符号の説明】
【００３１】
１      合掌接合部
１ａ    第１の接合部
１ｂ    第２の接合部
１ｃ    第３の接合部
２      端縁接合部
３      非接合領域
４      開封用つまみ部（開封手段）
４ａ    カットテープ（開封手段）
４ｂ、４ｃ、４ｄ  ノッチ部（開封手段）
９      シート材
１０〜１５  加熱用包装袋
Ｐ      おしぼり（内容物）
【図１】
2013244985.tif 000003
【図２】
2013244985.tif 000004
【図３】
2013244985.tif 000005
【図４】
2013244985.tif 000006
【図５】
2013244985.tif 000007
【図６】
2013244985.tif 000008
【図７】
2013244985.tif 000009